(57)【要約】【課題】カラオケ店舗近傍の通行人に対し、カラオケ店舗への来店を効果的に促すことが可能なカラオケシステムを提供する。【解決手段】店頭端末は、顔画像を分析して顔特徴データを抽出し、サーバ装置に送信する抽出処理部、歌唱動画データに基づく歌唱動画を表示させる表示処理部を有し、サーバ装置は、通行人の顔特徴データを記憶された顔特徴データと比較することにより、当該通行人に対応する利用者ＩＤが記憶されているかどうかを判定する第１の判定部、通行人に対応する利用者ＩＤが記憶されていると判定された場合、当該通行人の利用者ＩＤに対し、当該通行人がアップロードした歌唱動画データが紐付けられているかどうかを判定する第２の判定部、通行人の利用者ＩＤに歌唱動画データが紐付けられていると判定された場合、当該歌唱動画データを、通行人の顔特徴データを送信した店頭端末に送信するデータ送信部、を有するカラオケシステム。【選択図】図４Ａ
2019040162.tif 000002
【特許請求の範囲】
【請求項１】
カラオケ端末を備えるカラオケ店舗に設置された店頭端末、及びサーバ装置を有するカラオケシステムであって、
前記店頭端末は、
撮影部で取得した前記カラオケ店舗近傍の映像から通行人の顔画像を分析して顔特徴データを抽出し、前記サーバ装置に送信する抽出処理部を有し、
前記サーバ装置は、
少なくともカラオケ端末の利用者の顔特徴データを、利用者ＩＤに紐付けて記憶する利用者情報記憶部と、
抽出されたある通行人の前記顔特徴データを前記利用者情報記憶部に記憶された顔特徴データと比較することにより、当該ある通行人に対応する前記利用者ＩＤが前記利用者情報記憶部に記憶されているかどうかを判定する第１の判定部と、
前記ある通行人に対応する利用者ＩＤが記憶されていると判定された場合、当該ある通行人の利用者ＩＤに対し、当該ある通行人が前記サーバ装置にアップロードした歌唱動画データが紐付けられているかどうかを判定する第２の判定部と、
前記ある通行人の利用者ＩＤに歌唱動画データが紐付けられていると判定された場合、所定の基準に基づいて当該歌唱動画データを読み出し、前記ある通行人の顔特徴データを送信した前記店頭端末に送信するデータ送信部と、
を有し、
前記店頭端末は、
前記サーバ装置から送信された前記歌唱動画データに基づく歌唱動画を提示部に表示させる表示処理部を有するカラオケシステム。
【請求項２】
前記利用者情報記憶部は、一の前記利用者ＩＤに対し、他の前記利用者ＩＤをグループ利用者情報として紐付けて記憶し、
前記第２の判定部は、前記ある通行人の利用者ＩＤに歌唱動画データが紐付けられていないと判定した場合、当該ある通行人の利用者ＩＤに紐付けられた前記グループ利用者情報に含まれる他の利用者ＩＤに前記歌唱動画データが紐付けられているかどうかを判定し、
前記データ送信部は、前記他の利用者ＩＤに前記歌唱動画データが紐付けられていると判定された場合、所定の基準に基づいて当該歌唱動画データを読み出し、前記ある通行人の顔特徴データを送信した前記店頭端末に送信することを特徴とする請求項１記載のカラオケシステム。
【請求項３】
前記サーバ装置は、
カラオケ端末に配信する楽曲データを楽曲ＩＤと紐付けて記憶する楽曲情報記憶部を有し、
前記利用者情報記憶部は、カラオケ端末の利用者毎に、利用者が行ったカラオケ歌唱の歌唱履歴を利用者ＩＤと紐付けて記憶し、
前記データ送信部は、前記他の利用者ＩＤに前記歌唱動画データが紐付けられていないと判定された場合、前記ある通行人の利用者ＩＤに紐付けられた歌唱履歴に基づいてリコメンド楽曲を決定し、当該リコメンド楽曲に対応する楽曲データ及び楽曲ＩＤの少なくとも一方を読み出し、前記ある通行人の顔特徴データを送信した前記店頭端末に送信し、
前記店頭端末は、
前記リコメンド楽曲に対応する楽曲データに基づくカラオケ演奏音を前記提示部から放音させる演奏処理部を有することを特徴とする請求項２記載のカラオケシステム。
【請求項４】
前記サーバ装置は、
カラオケ端末に配信する楽曲データを楽曲ＩＤと紐付けて記憶する楽曲情報記憶部を有し、
前記利用者情報記憶部は、カラオケ端末の利用者毎に、利用者が行ったカラオケ歌唱の歌唱履歴を利用者ＩＤと紐付けて記憶し、
前記データ送信部は、前記ある通行人の利用者ＩＤに歌唱動画データが紐付けられていないと判定された場合、前記ある通行人の利用者ＩＤに紐付けられた歌唱履歴に基づいてリコメンド楽曲を決定し、当該リコメンド楽曲に対応する楽曲データ及び楽曲ＩＤの少なくとも一方を読み出し、前記ある通行人の顔特徴データを送信した前記店頭端末に送信し、
前記店頭端末は、
前記リコメンド楽曲に対応する楽曲データに基づくカラオケ演奏音を前記提示部から放音させる演奏処理部を有することを特徴とする請求項１記載のカラオケシステム。
【請求項５】
前記サーバ装置は、
前記歌唱動画データを送信した後、前記カラオケ端末にログインしたある利用者の利用者ＩＤを受信した場合、当該利用者ＩＤに基づいて、前記ある通行人が所定時間内に当該カラオケ端末にログインしたかどうかを判定する第３の判定部と、
前記第３の判定部の判定結果に基づいて、前記提示部で提示された前記歌唱動画データに対して、当該ある通行人のログインの有無を示す情報を紐付けて前記利用者情報記憶部に記憶させる記憶処理部と、
を有することを特徴とする請求項１または２記載のカラオケシステム。
【発明の詳細な説明】
【技術分野】
【０００１】
本発明はカラオケシステムに関する。
【０００２】
カラオケ装置の利用を促進するために、利用者をカラオケ店舗に誘引する技術が検討されている。たとえば、特許文献１には、カラオケ装置にログインした顧客と同じグループに属する非ログイン顧客（カラオケ装置にログインしていない顧客。すなわち、カラオケ歌唱を行っていない顧客）をデータベースから抽出し、ログインした顧客が来店中である旨のメッセージを、同様にデータベースから特定された非ログイン顧客のお気に入りの接客スタッフの名前で送信するという技術が開示されている。
【０００３】
また、カラオケ装置を利用してカラオケ歌唱を行う場合、利用者はリモコン装置等を介してカラオケ歌唱したい楽曲を選曲する。しかし、利用者によっては、歌唱する楽曲がなかなか決まらない場合がありうる。このような問題を解決するため、業務用通信カラオケにおいては、利用者の歌唱履歴や利用者情報に基づいて利用者に最適な楽曲を推奨（リコメンド）するサービスが普及している。
【０００４】
たとえば、特許文献２には、カラオケ装置にログインした複数の利用者の属性情報に基づいて、利用者のグループが特によく知っており馴染み深い楽曲をカラオケ演奏楽曲としてリコメンドする技術が開示されている。
【先行技術文献】
【特許文献】
【０００５】
【特許文献１】特開２００９−２０５１１３号公報
【特許文献２】特開２００６−１７８２４６号公報
【発明の概要】
【発明が解決しようとする課題】
【０００６】
ここで、特許文献１のようにログインした顧客が来店中である旨のメッセージを送信するだけでは、利用者に対する訴求力が弱く、利用者のカラオケ歌唱に対する関心を高めることは困難である。また、特許文献２の技術は、そもそもカラオケ店舗に来店していない利用者に対しては効果を発揮できない。
【０００７】
本発明の目的は、カラオケ店舗近傍の通行人に対し、カラオケ店舗への来店を効果的に促すことが可能なカラオケシステムを提供することにある。
【課題を解決するための手段】
【０００８】
上記目的を達成するための主たる発明は、カラオケ端末を備えるカラオケ店舗に設置された店頭端末、及びサーバ装置を有するカラオケシステムであって、前記店頭端末は、撮影部で取得した前記カラオケ店舗近傍の映像から通行人の顔画像を分析して顔特徴データを抽出し、前記サーバ装置に送信する抽出処理部を有し、前記サーバ装置は、少なくともカラオケ端末の利用者の顔特徴データを、利用者ＩＤに紐付けて記憶する利用者情報記憶部と、抽出されたある通行人の前記顔特徴データを前記利用者情報記憶部に記憶された顔特徴データと比較することにより、当該ある通行人に対応する前記利用者ＩＤが前記利用者情報記憶部に記憶されているかどうかを判定する第１の判定部と、前記ある通行人に対応する利用者ＩＤが記憶されていると判定された場合、当該ある通行人の利用者ＩＤに対し、当該ある通行人が前記サーバ装置にアップロードした歌唱動画データが紐付けられているかどうかを判定する第２の判定部と、前記ある通行人の利用者ＩＤに歌唱動画データが紐付けられていると判定された場合、所定の基準に基づいて当該歌唱動画データを読み出し、前記ある通行人の顔特徴データを送信した前記店頭端末に送信するデータ送信部と、を有し、前記店頭端末は、前記サーバ装置から送信された前記歌唱動画データに基づく歌唱動画を提示部に表示させる表示処理部を有するカラオケシステムである。
本発明の他の特徴については、後述する明細書及び図面の記載により明らかにする。
【発明の効果】
【０００９】
本発明によれば、カラオケ店舗近傍の通行人に対し、カラオケ店舗への来店を効果的に促すことができる。
【図面の簡単な説明】
【００１０】
【図１】第１実施形態に係るカラオケシステムの概略を示す図である。
【図２】第１実施形態に係る店頭端末のハードウェア構成例を示す図である。
【図３】第１実施形態に係るサーバ装置のハードウェア構成例を示す図である。
【図４Ａ】第１実施形態に係るカラオケシステムの処理を示すフローチャートである。
【図４Ｂ】第１実施形態に係るカラオケシステムの処理を示すフローチャートである。
【図５】第２実施形態に係るサーバ装置のハードウェア構成例を示す図である。
【発明を実施するための形態】
【００１１】
＜第１実施形態＞
図１〜図４Ｂを参照して、第１実施形態に係るカラオケシステム１について説明する。
【００１２】
＝＝カラオケシステム＝＝
図１に示すように、カラオケシステム１は、店頭端末Ｆ、及びサーバ装置Ｓを備える。店頭端末Ｆは、カラオケ端末Ｋを備えるカラオケ店舗Ｌに設置される。カラオケ店舗Ｌには、少なくとも１台のカラオケ端末Ｋが備えられている。店頭端末Ｆ及びカラオケ端末Ｋは、それぞれネットワークＮを介してサーバ装置Ｓと通信可能となっている。ネットワークＮは、たとえば公衆電話回線網やインターネット回線等の伝送路である。
【００１３】
＝＝店頭端末＝＝
店頭端末Ｆは、カラオケ店舗Ｌ近傍を通行する通行人の顔を撮影したり、歌唱動画（後述）等を通行人に提示する。図２に示すように、店頭端末Ｆは、記憶部１０、通信部１１、撮影部１２、提示部１３、制御部１４、及び操作部１５を備える。
【００１４】
［記憶部、通信部］
記憶部１０は、各種のデータを記憶する大容量の記憶装置である。通信部１１は、店頭端末Ｆとサーバ装置Ｓとを接続するためのインターフェースを提供する。
【００１５】
［撮影部］
撮影部１２は、カラオケ店舗Ｌ近傍の映像を取得する。撮影部１２は、たとえば、カラオケ店舗Ｌの外壁に設置されたカメラである。撮影部１２の撮影範囲は、たとえば、カラオケ店舗Ｌの入り口から左側２０メートルの歩道上の空間等、通行人が通りやすい場所に応じて任意の範囲を設定することができる。撮影部１２は、取得したカラオケ店舗Ｌ近傍の映像を制御部１４に出力する。
【００１６】
［提示部］
提示部１３は、通行人に対して各種情報を提示するためのディスプレイやスピーカである。提示部１３は、たとえば、カラオケ店舗Ｌの外壁に設置されたスピーカや、デジタルサイネージ装置、或いはカラオケ店舗Ｌ内に設置され、店舗外から視認可能な表示装置である。本実施形態に係る提示部１３は、サーバ装置Ｓから送信された歌唱動画データに基づく歌唱動画を提示したり、リコメンド楽曲のカラオケ演奏音を放音する（詳細は後述）。
【００１７】
［制御部、操作部］
制御部１４は、店頭端末Ｆにおける各種の制御を行う。制御部１４は、ＣＰＵおよびメモリ（いずれも図示無し）を備える。ＣＰＵは、メモリに記憶されたプログラムを実行することにより各種の機能を実現する。制御部１４は、たとえば、カラオケ店舗Ｌのカウンターに設置されたパーソナルコンピュータに組み込まれている。操作部１５は、店頭端末Ｆに対して各種入力を行うための構成である。操作部１５は、たとえばパーソナルコンピュータのキーボードである。
【００１８】
ここで、本実施形態においては、ＣＰＵがメモリに記憶されるプログラムを実行することにより、制御部１４は、抽出処理部１４ａ、表示処理部１４ｂ、及び演奏処理部１４ｃとして機能する。
【００１９】
（抽出処理部）
抽出処理部１４ａは、撮影部１２で取得したカラオケ店舗Ｌ近傍の映像から通行人の顔画像を分析して顔特徴データを抽出し、サーバ装置Ｓに送信する。顔特徴データの抽出は公知の手法を利用することができる。たとえば、撮影部１２が撮影したカラオケ店舗Ｌ近傍の映像の中に通行人Ｘの顔画像が含まれていたとする。この場合、抽出処理部１４ａは、当該映像の中から顔画像を認識し、当該顔画像を分析することで複数の特徴点を求め、それらを通行人Ｘの顔特徴データとする。抽出部１４ａは、抽出した顔特徴データをサーバ装置Ｓに送信する。通行人Ｘは、「ある通行人」の一例である。なお、カラオケ店舗Ｌ近傍の映像の中に複数の通行人の顔画像が含まれている場合、抽出処理部１４ａは、各通行人の顔画像を順次認識し、それぞれの顔特徴データを抽出する。
【００２０】
（表示処理部）
表示処理部１４ｂは、店頭端末Ｆにおける各種表示処理を行う。たとえば、表示処理部１４ｂは、サーバ装置Ｓから歌唱動画データを受信した場合、提示部１３に当該歌唱動画データに基づく歌唱動画を表示させる。
【００２１】
（演奏処理部）
演奏処理部１４ｃは、店頭端末Ｆにおける各種演奏処理を行う。たとえば、演奏処理部１４ｃは、サーバ装置Ｓから送信された楽曲データに基づくカラオケ演奏音を提示部１３から放音させる。具体的に、演奏処理部１４ｃは、サーバ装置Ｓからある楽曲の楽曲ＩＤを受信すると、当該楽曲ＩＤに対応する楽曲データをサーバ装置Ｓに要求する（或いは記憶部１０から読み出す）。サーバ装置Ｓは、当該楽曲ＩＤに対応する楽曲データを読み出し、演奏処理部１４ｃに送信する。演奏処理部１４ｃは、当該楽曲データに基づいてカラオケ演奏音を生成し、提示部１３を介して放音させる。
【００２２】
＝＝サーバ装置＝＝
サーバ装置Ｓは、店頭端末Ｆやカラオケ端末Ｋに関する各種情報を管理したり、店頭端末Ｆから送信される情報処理を行うコンピュータである。図３はサーバ装置Ｓのハードウェア構成例を示す図である。サーバ装置Ｓは、記憶部２０、通信部３０及び制御部４０を備える。
【００２３】
［記憶部］
記憶部２０は、各種のデータを記憶する大容量の記憶装置である。本実施形態において、記憶部２０の記憶領域の一部は、利用者情報記憶部２０ａ及び楽曲情報記憶部２０ｂとして機能する。
【００２４】
（利用者情報記憶部）
利用者情報記憶部２０ａは、カラオケ端末Ｋを利用してカラオケ歌唱を行ったことがある利用者それぞれについての各種情報を、利用者固有の識別子（利用者ＩＤ）に紐付けて記憶する。
【００２５】
利用者情報記憶部２０ａは、少なくとも、カラオケ端末Ｋの利用者の顔特徴データを、利用者ＩＤに紐付けて記憶する。
【００２６】
顔特徴データは、利用者の顔をカラオケ端末Ｋに備えられたカメラや利用者が所有する携帯端末等で撮影した顔画像データから抽出されたデータである。顔画像データから顔特徴データを抽出する処理は、抽出処理部１４ａと同様の手法を用いることができる。この処理は、たとえば、カラオケ端末Ｋにより行われる。
【００２７】
また、利用者情報記憶部２０ａは、歌唱動画データ、グループ利用者情報、及び歌唱履歴を利用者ＩＤに紐付けて記憶している。
【００２８】
歌唱動画データは、カラオケルーム内に備えられたカメラにより、ある利用者がカラオケ歌唱を行う姿を撮影した撮影データの中から、当該利用者が公開を希望したものである。歌唱動画データは、利用者がサーバ装置Ｓにアップロードの指示を行うことにより公開される。歌唱動画データには、利用者の歌唱する姿を記録した映像データ、利用者の歌唱音声をカラオケ演奏音と共に記録した音声データ、及び撮影日時や撮影場所等に関する属性データが含まれている。グループ利用者情報は、一の利用者ＩＤに対して紐付けられた他の利用者ＩＤである。利用者は、カラオケ端末Ｋ等を介し、たとえば仲の良い友人の利用者ＩＤをグループ利用者情報として登録することができる。歌唱履歴は、利用者が過去に行ったカラオケ歌唱に関する情報である。歌唱履歴は、たとえば、歌唱した楽曲名、歌唱日時、歌唱したカラオケ店舗名（使用したカラオケ端末の端末ＩＤ）、歌唱の採点結果等が含まれている。
【００２９】
なお、本実施形態において、全ての利用者ＩＤに対し、これらのデータ等が必ず紐付けられているわけでは無い。たとえば、利用者ＩＤによっては、歌唱動画データやグループ利用者情報が紐付けられていない場合もありうる。
【００３０】
（楽曲情報記憶部）
楽曲情報記憶部２０ｂは、サーバ装置Ｓからカラオケ端末Ｋに配信する楽曲データを楽曲ＩＤと紐付けて記憶する。楽曲データは、伴奏データ、リファレンスデータ、ガイドメロディデータ、ガイドボーカルデータ等を含む。サーバ装置Ｓからカラオケ端末Ｋに対して楽曲データを配信することにより、カラオケ端末Ｋにおいて対応する楽曲のカラオケ演奏が可能となる。なお、楽曲情報記憶部２０ｂは、カラオケ端末Ｋに配信する楽曲情報として、各楽曲に対応する歌詞テロップを表示させるための歌詞テロップデータ、カラオケ演奏時に表示される背景画像等の背景画像データ、及び楽曲の属性情報（歌手名、作詞・作曲者名、ジャンル等）を記憶していてもよい。
【００３１】
［通信部］
通信部３０は、サーバ装置Ｓと、店頭端末Ｆ及びカラオケ端末Ｋとを接続するためのインターフェースを提供する。
【００３２】
［制御部］
制御部４０は、サーバ装置Ｓにおける各種の制御を行う。制御部４０はＣＰＵおよびメモリ（いずれも図示無し）を備える。ＣＰＵは、メモリに記憶されたプログラムを実行することにより各種の機能を実現する。本実施形態においては、ＣＰＵがメモリに記憶されるプログラムを実行することにより、制御部４０は、第１の判定部４０ａ、第２の判定部４０ｂ、及びデータ送信部４０ｃとして機能する。
【００３３】
（第１の判定部）
第１の判定部４０ａは、抽出されたある通行人の顔特徴データを利用者情報記憶部２０ａに記憶された顔特徴データと比較することにより、当該ある通行人に対応する利用者ＩＤが利用者情報記憶部２０ａに記憶されているかどうかを判定する。
【００３４】
具体例として、抽出処理部１４ａから、通行人Ｘの顔特徴データが送信された場合について述べる。第１の判定部４０ａは、通行人Ｘの顔特徴データと、利用者情報記憶部２０ａに記憶されている複数の利用者の顔特徴データとの照合を行い、一致（或いは類似）する顔特徴データがあるかどうかを判定する。
【００３５】
たとえば、同一の顔特徴データが利用者情報記憶部２０ａに記憶されている場合、通行人Ｘは、いずれかのカラオケ店舗において顔特徴データを登録した者であり、当該顔特徴データは特定の利用者ＩＤと紐付けられている。従って、第１の判定部４０ａは、通行人Ｘに対応する利用者ＩＤが利用者情報記憶部２０ａに記憶されていると判定することができる。第１の判定部４０ａは、その判定結果を第２の判定部４０ｂに出力する。一方、同一の顔特徴データが利用者情報記憶部２０ａに記憶されていない場合、通行人Ｘは、いずれのカラオケ店舗においても顔特徴データを登録していない。すなわち、利用者ＩＤと紐付けられた顔特徴データは存在しない。この場合、第１の判定部４０ａは、通行人Ｘに対応する利用者ＩＤが利用者情報記憶部２０ａに記憶されていないと判定し、他の通行人の顔特徴データを受信するまで待機状態となる。
【００３６】
更に、本実施形態においては、通行人Ｘに対応する利用者ＩＤが利用者情報記憶部２０ａに記憶されていると判定した場合、第１の判定部４０ａは、通行人Ｘの利用者ＩＤを通行人Ｘの顔特徴データを送信した店頭端末Ｆに送信する。
【００３７】
この場合、抽出処理部１４ａは、通行人Ｘが撮影部１２に対して所定距離まで接近したと判断した場合には、サーバ装置Ｓに対して歌唱動画データ等のストリーミング送信を開始するよう指示する。一方、抽出処理部１４ａは、通行人Ｘが撮影部１２に対して所定距離よりも離れた場合や、撮影部１２の撮影範囲から外れた（通行人Ｘの顔特徴データの抽出が出来なくなった）と判断した場合には、サーバ装置Ｓに対して歌唱動画データ等のストリーミング送信を停止するよう指示する。歌唱動画データ等の送信の具体例については後述する。
【００３８】
（第２の判定部）
第２の判定部４０ｂは、第１の判定部４０ａにより、ある通行人に対応する利用者ＩＤが記憶されていると判定された場合、当該ある通行人の利用者ＩＤに対し、歌唱動画データが紐付けられているかどうかを判定する。
【００３９】
たとえば、上記例において、第１の判定部４０ａから通行人Ｘに対応する利用者ＩＤが記憶されているという判定結果が出力されたとする。この場合、第２の判定部４０ｂは、利用者情報記憶部２０ａを参照し、通行人Ｘの利用者ＩＤに歌唱動画データが紐付けられているかどうかを判定する。この判定は、通行人Ｘの利用者ＩＤに対し、通行人Ｘがサーバ装置Ｓにアップロードした歌唱動画データが紐付けられているか否かにより行う。第２の判定部４０ｂは、判定結果をデータ送信部４０ｃに出力する。
【００４０】
なお、第２の判定部４０ｂは、ある通行人の利用者ＩＤに歌唱動画データが紐付けられていないと判定した場合、当該ある通行人の利用者ＩＤに紐付けられたグループ利用者情報に含まれる他の利用者ＩＤに歌唱動画データが紐付けられているかどうかを判定してもよい。
【００４１】
たとえば、上記例において、通行人Ｘの利用者ＩＤに歌唱動画データが紐付けられていないと判定されたとする。この場合、第２の判定部４０ｂは、利用者情報記憶部２０ａを参照し、通行人Ｘの利用者ＩＤにグループ利用者情報が紐付けられているかどうかを確認する。ここで、通行人Ｘの利用者ＩＤにグループ利用者情報が紐付けられている場合、第２の判定部４０ｂは、グループ利用者情報に含まれる他の利用者Ｙの利用者ＩＤの利用者情報を確認し、利用者Ｙの利用者ＩＤに利用者Ｙがサーバ装置Ｓにアップロードした歌唱動画データが紐付けられているかどうかを判定する。第２の判定部４０ｂは、この判定結果をデータ送信部４０ｃに出力することでもよい。
【００４２】
（データ送信部）
データ送信部４０ｃは、ある通行人の利用者ＩＤに歌唱動画データが紐付けられていると判定された場合、所定の基準に基づいて当該歌唱動画データを読み出し、ある通行人の顔特徴データを送信した店頭端末に送信する。
【００４３】
所定の基準は、店頭端末Ｆに送信する歌唱動画データを読み出すための条件である。たとえば、ある通行人の利用者ＩＤに複数の歌唱動画データが紐付けられている場合がある。この場合、所定の基準は、複数の歌唱動画データの中から、一の歌唱動画データを特定するために利用される。所定の基準は、たとえば、「最新（最古）の歌唱動画データ」、「現在時刻に近い時間帯の歌唱動画データ」、「顔特徴データを送信した店頭端末が設置されたカラオケ店舗で撮影された歌唱動画データ」のように、歌唱動画の撮影時間や撮影場所に関する条件を用いることができる。なお、歌唱動画データが複数ある場合に、それらを順次読み出して送信することでもよい。所定の基準は、予めサーバ装置Ｓ側で設定したものを用いてもよいし、サーバ装置Ｓ側で複数の基準を準備しておき、店頭端末Ｆからの指示入力に応じた基準を選択して用いることでもよい。
【００４４】
たとえば、上記例において、通行人Ｘの利用者ＩＤに撮影時刻の異なる歌唱動画データＤ１、Ｄ２（歌唱動画データＤ１の方が最新）が紐付けられていると判定されたとする。また、所定の基準として「最新の歌唱動画データ」が設定されているとする。
【００４５】
この場合、データ送信部４０ｃは、所定の基準に基づいて歌唱動画データＤ１を利用者情報記憶部２０ａから読み出し、通行人Ｘの顔特徴データを送信した店頭端末Ｆに送信する。
【００４６】
一方、第２の判定部４０ｂから、ある通行人の利用者ＩＤに歌唱動画データが紐付けられていないという判定結果が得られる場合もある。この場合であっても、第２の判定部４０ｂから、当該ある通行人の利用者ＩＤに紐付けられたグループ利用者情報に含まれる他の利用者ＩＤに歌唱動画データが紐付けられているという判定結果が得られた場合、データ送信部４０ｃは、所定の基準に基づいて当該歌唱動画データを読み出し、ある通行人の顔特徴データを送信した店頭端末Ｆに送信することもできる。
【００４７】
たとえば、上記例において、通行人Ｘの利用者ＩＤに歌唱動画データが紐付けられていないが、当該利用者ＩＤに紐付けられているグループ利用者情報に含まれる利用者Ｙの利用者ＩＤに歌唱動画データＤ３が紐付けられているという判定結果が得られたとする。
【００４８】
この場合、データ送信部４０ｃは、所定の基準に基づいて歌唱動画データＤ３を利用者情報記憶部２０ａから読み出し、通行人Ｘの顔特徴データを送信した店頭端末Ｆに送信する。なお、一の利用者ＩＤに対し、他の利用者ＩＤが複数紐付けられている場合がありうる。この際の所定の基準としては、上記所定の基準以外に、たとえば「歌唱動画数の多い楽曲の歌唱動画データ」、「歌唱動画データが最も多く紐付けられた利用者ＩＤ且つ、その中で最新の歌唱動画データ」といった基準を用いることができる。
【００４９】
また、第２の判定部４０ｂから、ある通行人の利用者ＩＤに歌唱動画データが紐付けられていないという判定結果だけでなく、当該ある通行人の利用者ＩＤに紐付けられたグループ利用者情報に含まれる他の利用者ＩＤに歌唱動画データが紐付けられていないという判定結果が得られることもある。
【００５０】
この場合、データ送信部４０ｃは、ある通行人の利用者ＩＤに紐付けられた歌唱履歴に基づいてリコメンド楽曲を決定し、当該リコメンド楽曲に対応する楽曲データ及び楽曲ＩＤの少なくとも一方を読み出し、ある通行人の顔特徴データを送信した店頭端末に送信することでもよい。
【００５１】
たとえば、上記例において、通行人Ｘの利用者ＩＤに歌唱動画データが紐付けられておらず、当該利用者ＩＤに紐付けられているグループ利用者情報に含まれる利用者Ｙの利用者ＩＤにも歌唱動画データが紐付けられていないという判定結果が得られたとする。
【００５２】
この場合、データ送信部４０ｃは、通行人Ｘの利用者ＩＤに紐付けられた歌唱履歴に基づいてリコメンド楽曲を決定する。歌唱履歴に基づくリコメンド楽曲の決定は公知の手法を用いることができる。たとえば、データ送信部４０ｃは、通行人Ｘの歌唱履歴の中から最も歌唱回数の多い楽曲や、最も採点値の高い楽曲等を検索し、当該楽曲をリコメンド楽曲として決定する。データ送信部４０ｃは、決定したリコメンド楽曲に対応する楽曲データを楽曲情報記憶部２０ｂから読み出し、通行人Ｘの顔特徴データを送信した店頭端末Ｆに送信する。なお、データ送信部４０ｃは、楽曲データの代わりに（或いは楽曲データと併せて）当該リコメンド楽曲に対応する楽曲ＩＤを読み出し、通行人Ｘの顔特徴データを送信した店頭端末Ｆに送信することでもよい。
【００５３】
データの送信は、抽出処理部１４ａからの信号に基づくストリーミング送信の方式であってもよいし、一の歌唱動画データを一括でダウンロードさせる方式でもよい。
【００５４】
上述のように、データ送信部４０ｃから歌唱動画データを受信した店頭端末Ｆは、歌唱動画データに基づく歌唱動画を表示させることができる。たとえば、表示処理部１４ｂは、サーバ装置Ｓから送信された通行人Ｘの歌唱動画データに基づく歌唱動画を提示部１３に表示させる。
【００５５】
或いは、データ送信部４０ｃから楽曲データを受信した店頭端末Ｆは、楽曲データに基づくカラオケ演奏音を放音させる。たとえば、演奏処理部１４ｃは、通行人Ｘの歌唱履歴から決定されたリコメンド楽曲に対応する楽曲データに基づくカラオケ演奏音を提示部１３から放音させる。
【００５６】
＝＝カラオケシステムにおける処理について＝＝
次に、図４Ａ及び図４Ｂを参照して本実施形態に係るカラオケシステム１における処理の具体例について述べる。図４Ａ及び図４Ｂは、カラオケシステム１における処理例を示すフローチャートである。
【００５７】
店頭端末Ｆにおいて、撮影部１２は、カラオケ店舗Ｌ近傍の映像を撮影する。抽出処理部１４ａは、撮影部１２が撮影したカラオケ店舗Ｌ近傍の映像の中から通行人の顔画像を認識する（通行人の顔画像を認識。ステップ１０）。
【００５８】
抽出処理部１４ａは、ステップ１０で認識した顔画像を分析して顔特徴データを抽出する。抽出処理部１４ａは、抽出した顔特徴データをサーバ装置Ｓに送信する（顔特徴データの抽出及び送信。ステップ１１）。
【００５９】
サーバ装置Ｓにおいて、第１の判定部４０ａは、ステップ１１で抽出されたある通行人の顔特徴データを利用者情報記憶部２０ａに記憶された顔特徴データと比較することにより、当該ある通行人に対応する利用者ＩＤが利用者情報記憶部２０ａに記憶されているかどうかを判定する（顔特徴データの判定。ステップ１２）。
【００６０】
ある通行人に対応する利用者ＩＤが記憶されていると判定された場合（ステップ１３でＹの場合）、第１の判定部４０ａは、ステップ１１で顔特徴データを送信した店頭端末Ｆに対し、当該利用者ＩＤを送信する（利用者ＩＤの送信。ステップ１４）。
【００６１】
その後、抽出部１４ａは、ある通行人が撮影部１２に対して所定距離まで接近したと判断した場合（ステップ１５でＹの場合）、サーバ装置Ｓに対して歌唱動画データ等のストリーミング送信を開始するよう指示する（データ送信の開始指示。ステップ１６）。
【００６２】
この場合、まず、第２の判定部４０ｂは、ある通行人の利用者ＩＤに対し、歌唱動画データが紐付けられているかどうかを判定する。ある通行人の利用者ＩＤに歌唱動画データが紐付けられていると判定された場合（ステップ１７でＹの場合）、データ送信部４０ｃは、所定の基準に基づいて当該歌唱動画データを読み出す（歌唱動画データの読み出し。ステップ１８）。
【００６３】
また、ある通行人の利用者ＩＤに歌唱動画データが紐付けられていないと判定された場合（ステップ１７でＮの場合）、第２の判定部４０ｂは、ある通行人の利用者ＩＤに紐付けられたグループ利用者情報に含まれる他の利用者ＩＤに歌唱動画データが紐付けられているかどうかを判定する。他の利用者ＩＤに歌唱動画データが紐付けられていると判定された場合（ステップ１９でＹの場合）、所定の基準に基づいて当該歌唱動画データを読み出す（歌唱動画データの読み出し。ステップ１８）。
【００６４】
一方、他の利用者ＩＤに歌唱動画データが紐付けられていないと判定された場合（ステップ１９でＮの場合）、データ送信部４０ｃは、ある通行人の利用者ＩＤに紐付けられた歌唱履歴に基づいてリコメンド楽曲を決定し、当該リコメンド楽曲に対応する楽曲データ及び楽曲ＩＤの少なくとも一方を読み出す（楽曲データ等の読み出し。ステップ２０）。
【００６５】
データ送信部４０ｃは、ステップ１８で読み出した歌唱動画データまたはステップ２０で読み出した楽曲データ等のいずれかを店頭端末Ｆに対してストリーミング送信する（歌唱動画データ等の送信。ステップ２１）。
【００６６】
歌唱動画データを受信した場合、表示処理部１４ｂは、当該歌唱動画データに基づく歌唱動画を提示部１３に表示させる。一方、楽曲データを受信した場合、演奏処理部１４ｃは、当該楽曲データに基づくカラオケ演奏音を提示部１３から放音させる（歌唱動画等の提示。ステップ２２）。ここで、ある通行人が撮影部１２に対して処理距離まで接近したタイミングは、撮影部１２が設置された店頭端末Ｆに接近したタイミングに等しい。従って、ある通行人は、店頭端末Ｆを介して、自己の歌唱動画や歌唱履歴に基づく楽曲のカラオケ演奏音を視覚的、聴覚的に認識することができる。
【００６７】
その後、通行人Ｘが撮影部１２に対して所定距離よりも離れた場合（ステップ２３でＹの場合）、抽出処理部１４ａは、サーバ装置Ｓに対して歌唱動画データ等のストリーミング送信を停止するよう指示する（データ送信の停止指示。ステップ２４）。データ送信部４０ｃは、ステップ２４における停止指示に基づいて、歌唱動画データ等のストリーミング送信を停止する（データ送信の停止。ステップ２５）。
【００６８】
このように、本実施形態に係るカラオケシステム１は、店頭端末Ｆ及びサーバ装置Ｓを有する。店頭端末Ｆは、撮影部１２で取得したカラオケ店舗Ｌ近傍の映像から通行人の顔画像を分析して顔特徴データを抽出し、サーバ装置Ｓに送信する抽出処理部１４ａ、サーバ装置Ｓから送信された歌唱動画データに基づく歌唱動画を提示部１３に表示させる表示処理部１４ｂを有し、サーバ装置Ｓは、カラオケ端末Ｋの利用者の顔特徴データを、利用者ＩＤに紐付けて記憶する利用者情報記憶部２０ａと、抽出されたある通行人の顔特徴データを利用者情報記憶部２０ａに記憶された顔特徴データと比較することにより、当該ある通行人に対応する利用者ＩＤが利用者情報記憶部２０ａに記憶されているかどうかを判定する第１の判定部４０ａと、ある通行人に対応する利用者ＩＤが記憶されていると判定された場合、当該ある通行人の利用者ＩＤに対し、当該通行人がサーバ装置Ｓにアップロードした歌唱動画データが紐付けられているかどうかを判定する第２の判定部４０ｂと、ある通行人の利用者ＩＤに歌唱動画データが紐付けられていると判定された場合、所定の基準に基づいて当該歌唱動画データを読み出し、ある通行人の顔特徴データを送信した店頭端末Ｆに送信するデータ送信部４０ｃと、を有する。
【００６９】
このようなカラオケシステム１によれば、カラオケ店舗近傍の通行人に対し、本人がアップロードした歌唱動画を提示することができる。このような歌唱動画は、街頭で流れる一般的な音楽や映像に比べ、本人に対する訴求力が極めて強い。従って、歌唱動画を見た通行人は、カラオケ歌唱に対する関心（「歌唱動画で歌唱した楽曲を改め歌いたい」、「同じアーティストの別の歌唱動画を撮影してアップロードしたい」等）が芽生え、その結果、カラオケ店舗に来店しようという意識が高まることが期待できる。すなわち、本実施形態に係るカラオケシステム１によれば、カラオケ店舗近傍の通行人に対し、カラオケ店舗への来店を効果的に促すことができる。なお、カラオケシステム１は、一のサーバ装置Ｓにおいて、歌唱動画データの判定処理、及び店頭端末Ｆへの歌唱動画データ送信を行う。従って、ある店頭端末において表示された歌唱動画が、当該ある店頭端末が設置されているカラオケ店舗で撮影されたものとは限られない。たとえば、通行人Ｘは、行きつけのカラオケ店舗で撮影した自己の歌唱動画を、出張先の近くにあるカラオケ店舗でたまたま見る場合もありうる。すなわち、本実施形態に係るカラオケシステム１によれば、歌唱動画を撮影したカラオケ店舗からの遠近に関わらず、より広範囲で通行人に対する訴求力を高めることができる。
【００７０】
また、本実施形態に係るカラオケシステム１において、利用者情報記憶部２０ａは、一の利用者ＩＤに対し、他の前記利用者ＩＤをグループ利用者情報として紐付けて記憶し、第２の判定部４０ｂは、ある通行人の利用者ＩＤに歌唱動画データが紐付けられていないと判定した場合、当該ある通行人の利用者ＩＤに紐付けられたグループ利用者情報に含まれる他の利用者ＩＤに歌唱動画データが紐付けられているかどうかを判定し、データ送信部４０ｃは、他の利用者ＩＤに歌唱動画データが紐付けられていると判定された場合、所定の基準に基づいて当該歌唱動画データを読み出し、ある通行人の顔特徴データを送信した店頭端末Ｆに送信することも可能である。
【００７１】
このようなカラオケシステム１によれば、カラオケ店舗近傍の通行人に対し、本人の歌唱動画を提示できない場合であっても、当該通行人と関係の深い利用者の歌唱動画を提示することができる。このような歌唱動画であっても、街頭で流れる一般的な音楽や映像に比べれば、通行人に対する訴求力は強い。従って、グループ利用者の歌唱動画を見た通行人は、カラオケ歌唱に対する関心（「友人の歌唱した楽曲を自分も歌いたい」、「友人よりも上手く歌った歌唱動画をアップロードしたい」等）が芽生え、その結果、カラオケ店舗に来店しようという意識が高まることが期待できる。すなわち、このような構成を採用することにより、通行人自身の歌唱動画が記憶されていない場合であっても、当該通行人に対し、カラオケ店舗への来店を効果的に促すことができる。
【００７２】
更に、本実施形態に係るカラオケシステム１において、サーバ装置Ｓは、カラオケ端末Ｋに配信する楽曲データを楽曲ＩＤと紐付けて記憶する楽曲情報記憶部２０ｂを有し、利用者情報記憶部２０ａは、カラオケ端末Ｋの利用者毎に、利用者が行ったカラオケ歌唱の歌唱履歴を利用者ＩＤと紐付けて記憶し、データ送信部４０ｃは、他の利用者ＩＤに歌唱動画データが紐付けられていないと判定された場合、ある通行人の利用者ＩＤに紐付けられた歌唱履歴に基づいてリコメンド楽曲を決定し、当該リコメンド楽曲に対応する楽曲データ及び楽曲ＩＤの少なくとも一方を読み出し、ある通行人の顔特徴データを送信した店頭端末Ｆに送信する。また、店頭端末Ｆは、リコメンド楽曲に対応する楽曲データに基づくカラオケ演奏音を提示部１３から放音させる演奏処理部１４ｃを有する。
【００７３】
このようなカラオケシステム１によれば、カラオケ店舗近傍の通行人に対し、提示できる歌唱動画が無い場合であっても、本人に関係が深い楽曲（良くカラオケ歌唱する楽曲、上手くカラオケ歌唱できる楽曲等）をリコメンド楽曲として提示できる。このようなリコメンド楽曲は、街頭で流れる一般的な音楽に比べ、本人に対する訴求力が強い。従って、本人に関係が深い楽曲を聴いた通行人は、カラオケ歌唱に対する関心（「今聴いた楽曲をまた歌いたい」、「今聴いた楽曲の歌唱動画をアップロードしたい」等）が芽生え、その結果、カラオケ店舗に来店しようという意識が高まることが期待できる。すなわち、このような構成を採用することにより、通行人本人の歌唱動画データ、及び当該通行人と関係の深い他の利用者の歌唱動画データのいずれもが記憶されていない場合であっても、当該通行人に対し、カラオケ店舗への来店を効果的に促すことができる。
【００７４】
なお、上記例では、ある通行人の利用者ＩＤに歌唱動画データが紐付けられておらず、且つ当該利用者ＩＤに紐付けられているグループ利用者情報に含まれる利用者の利用者ＩＤにも歌唱動画データが紐付けられていないという判定結果が得られた場合に、リコメンド楽曲を決定する方法について述べた。一方、ある通行人の利用者ＩＤに歌唱動画データが紐付けられていない場合に、リコメンド楽曲を決定する方法であってもよい。
【００７５】
すなわち、第２の判定部４０ｂにより、ある通行人の利用者ＩＤに歌唱動画データが紐付けられていないと判定された場合、データ送信部４０ｃは、ある通行人の利用者ＩＤに紐付けられた歌唱履歴に基づいてリコメンド楽曲を決定し、当該リコメンド楽曲に対応する楽曲データ及び楽曲ＩＤの少なくとも一方を読み出し、ある通行人の顔特徴データを送信した店頭端末Ｆに送信することでもよい。
【００７６】
たとえば、通行人Ｘの利用者ＩＤに歌唱動画データが紐付けられていないという判定結果が得られたとする。この場合、データ送信部４０ｃは、通行人Ｘの利用者ＩＤに紐付けられた歌唱履歴に基づいてリコメンド楽曲を決定する。データ送信部４０ｃは、決定したリコメンド楽曲に対応する楽曲データを楽曲情報記憶部２０ｂから読み出し、通行人Ｘの顔特徴データを送信した店頭端末Ｆに送信する。このような構成を採用することにより、通行人本人の歌唱動画データが記憶されていない場合であっても、当該通行人に対し、カラオケ店舗への来店を効果的に促すことができる。
【００７７】
また、上記例では、通行人Ｘの利用者ＩＤに対し、通行人Ｘ自身の歌唱動画データが紐付けられていない場合の処理について説明したが、これらの処理は必須の処理ではない。すなわち、本実施形態に係る第２の判定部４０ｂは、少なくとも、ある通行人に対応する利用者ＩＤが記憶されていると判定された場合、当該ある通行人の利用者ＩＤに対し、歌唱動画データが紐付けられているかどうかを判定する機能を有していればよい。また、本実施形態に係るデータ送信部４０ｃは、ある通行人の利用者ＩＤに歌唱動画データが紐付けられていると判定された場合、所定の基準に基づいて当該歌唱動画データを読み出し、ある通行人の顔特徴データを送信した店頭端末Ｆに送信する機能を有していればよい。
【００７８】
この場合において、第２の判定部４０ｂにより、ある通行人の利用者ＩＤに歌唱動画データが紐付けられていないと判定された場合、データ送信部４０ｃは、特段の処理を実行しない。或いは、データ送信部４０ｃは、その旨の信号（エラー信号）を店頭端末Ｆに送信する。エラー信号を受信した店頭端末Ｆ（抽出処理部１４ａ）は、別の通行人に関して上記と同様の処理を行うことで、当該別の通行人に関する歌唱動画等を提示することができる。
【００７９】
更に、上記例では、ある通行人に対応する利用者ＩＤが記憶されていると判定された場合、第１の判定部４０ａが顔特徴データを送信した店頭端末Ｆに対し、当該利用者ＩＤを送信する構成について説明したが、利用者ＩＤの送信は必須の処理ではない。たとえば、ある通行人に対応する利用者ＩＤが記憶されていると判定された場合、且つある通行人の利用者ＩＤに歌唱動画データが紐付けられていると判定された場合、データ送信部４０ｃは、店頭端末Ｆからの送信開始の指示を待たずに歌唱動画データを読み出し、ある通行人の顔特徴データを送信した店頭端末Ｆに送信することでもよい。この場合、店頭端末Ｆ（表示処理部１４ｂ）は、所定のタイミング（ある通行人がカラオケ店舗Ｌに近づくであろうタイミング。たとえば、顔特徴データをサーバ装置Ｓに送信してから１０秒後）で受信した歌唱動画データに基づく歌唱動画の表示を開始させる。なお、歌唱動画データをストリーミング方式で送信する場合、データ送信部４０ｃは、歌唱動画データの送信開始後、所定時間（たとえば、送信開始から２分）が経過した場合に、歌唱動画データの配信を停止する。
【００８０】
＜第２実施形態＞
次に、図５を参照して、第２実施形態に係るカラオケシステム１について説明する。本実施形態では、歌唱動画を提示された通行人が実際にカラオケ歌唱を行ったかどうかを記録する例について述べる。第１実施形態と同様の構成については詳細な説明を省略する。
【００８１】
＝＝サーバ装置＝＝
図５は本実施形態に係るサーバ装置Ｓのハードウェア構成例を示す図である。本実施形態においては、ＣＰＵがメモリに記憶されるプログラムを実行することにより、制御部４０は、第１の判定部４０ａ、第２の判定部４０ｂ、データ送信部４０ｃ、第３の判定部４０ｄ、及び記憶処理部４０ｅとして機能する。
【００８２】
（第３の判定部）
第３の判定部４０ｄは、データ送信部４０ｃが歌唱動画データを送信した後、カラオケ端末Ｋにログインしたある利用者の利用者ＩＤを受信した場合、当該利用者ＩＤに基づいて、ある通行人が所定時間内にカラオケ端末Ｋにログインしたかどうかを判定する。
【００８３】
所定時間は、ある通行人が、歌唱動画データに基づく歌唱動画を見た結果、カラオケ端末Ｋを利用したかどうか（すなわち、歌唱動画を見たことによってカラオケ歌唱に対する関心が高まったかどうか）を判断するための時間である。所定時間は、歌唱動画を見てから、当該歌唱動画を提示した店頭端末が設置されているカラオケ店舗（或いはその近隣の別のカラオケ店舗）に入店し、カラオケ端末にログインするまでの時間（たとえば１５分）を考慮して設定される。所定時間は、予めサーバ装置Ｓ側で設定したものを用いてもよいし、サーバ装置Ｓ側で複数の時間を準備しておき、店頭端末Ｆからの指示入力に応じた所定時間を選択して用いることでもよい。また、所定時間は、曜日や時間帯を考慮して選択されるのが望ましい。たとえば、週末の夕方などカラオケ歌唱の需要が増える時間帯では、ある通行人本人のカラオケ歌唱に対する関心がいくら高まったとしても、予約無しでカラオケ店舗に入店できる可能性は低い。そこで、このような場合には、数時間以内の入店あるいは予約連絡をもってカラオケ端末Ｋを利用したと判断することにしてもよい。
【００８４】
カラオケ端末Ｋを利用する際、利用者ＩＤを所有する利用者は、リモコン装置等を介して当該ＩＤを入力し、カラオケシステム１にログインを行う。この際、利用者ＩＤの入力を受けたカラオケ端末Ｋは、サーバ装置Ｓに対して当該利用者ＩＤを送信する。
【００８５】
ここで、データ送信部４０は、店頭端末Ｆに対し、通行人Ｘの歌唱動画データを送信したとする。この場合、第３の判定部４０ｄは、通行人Ｘの歌唱動画データを送信した後、所定時間内にカラオケ端末Ｋから受信した利用者ＩＤについて、通行人Ｘの利用者ＩＤとの照合を行い、通行人Ｘのログインの有無を判定する。具体的に、第３の判定部４０ｄは、受信した利用者ＩＤと通行人Ｘの利用者ＩＤが一致した場合、通行人Ｘがログインしたと判定する。一方、第３の判定部４０ｄは、受信した利用者ＩＤと通行人Ｘの利用者ＩＤが一致しなかった場合や所定時間内に利用者ＩＤを受信しなかった場合、通行人Ｘがログインしなかったと判定する。第３の判定部４０ｄは、判定結果を記憶処理部４０ｅに出力する。
【００８６】
なお、利用者ＩＤの照合は、店頭端末Ｆの設置されているカラオケ店舗Ｌに備えられたカラオケ端末Ｋから送信された利用者ＩＤに対してのみ行ってもよいし、当該カラオケ店舗Ｌの近隣にある別のカラオケ店舗に備えられたカラオケ端末Ｋから送信された利用者ＩＤも含めて行ってもよい。
【００８７】
（記憶処理部）
記憶処理部４０ｅは、第３の判定部４０ｄの判定結果に基づいて、提示部１３で提示された歌唱動画データに対して、当該ある通行人のログインの有無を示す情報を紐付けて利用者情報記憶部２０ａに記憶させる。
【００８８】
たとえば、上記例において、通行人Ｘがログインしたという判定結果を受信した場合、記憶処理部４０ｅは、提示部１３で提示された通行人Ｘの歌唱動画データに対して、通行人Ｘがログインしたという情報（ログイン情報）を紐付けて利用者情報記憶部２０ａに記憶させる。この場合、当該歌唱動画データは、通行人Ｘに対する訴求力が極めて強かったと考えることができる。従って、後日、通行人Ｘに対して歌唱動画を提示する機会が生じた場合、且つ第２の判定部４０ｂにより、複数の歌唱動画データが紐付けられていると判定された場合、データ送信部４０ｃは、店頭端末Ｆに対し、当該ログイン情報が紐付けられている歌唱動画データを優先的に送信することができる。
【００８９】
一方、上記例において、通行人Ｘがログインしなかったという判定結果を受信した場合、記憶処理部４０ｅは、提示部１３で提示された通行人Ｘの歌唱動画データに対して、通行人Ｘがログインしなかった情報（非ログイン情報）を紐付けて利用者情報記憶部２０ａに記憶させる。この場合、当該歌唱動画データは、通行人Ｘに対する訴求力が低かったと考えることができる。従って、後日、通行人Ｘに対して歌唱動画を提示する機会が生じた場合、且つ第２の判定部４０ｂにより、複数の歌唱動画データが紐付けられていると判定された場合、データ送信部４０ｃは、店頭端末Ｆに対し、当該非ログイン情報が紐付けられている歌唱動画データの優先度を下げる（他の歌唱動画データを優先的に送信する）ことができる。
【００９０】
このように、本実施形態に係るカラオケシステム１によれば、通行人に対し、訴求力が強い歌唱動画を優先的に提示することができる。従って、通行人に対し、カラオケ店舗への来店をより効果的に促すことができる。
【００９１】
なお、第１実施形態で述べたグループ利用者情報に含まれている他の利用者ＩＤに紐付けられた歌唱動画データに基づく歌唱動画を見た結果、通行人Ｘがカラオケ端末Ｋを利用する場合もありうる。
【００９２】
この場合、第３の判定部４０ｄは、カラオケ端末Ｋにログインしたある通行人Ｘの利用者ＩＤを受信し、通行人Ｘが所定時間内にカラオケ端末Ｋにログインしたと判定する。
【００９３】
記憶処理部４０ｅは、第３の判定部４０ｄの判定結果に基づいて、他の利用者ＩＤに紐付けられた歌唱動画データに対して、通行人Ｘのログインの有無を示す情報を紐付けて利用者情報記憶部２０ａに記憶させる。
【００９４】
従って、後日、通行人Ｘに対して歌唱動画を提示する機会が生じた場合、且つ第２の判定部４０ｂにより、複数の歌唱動画データが紐付けられていないと判定された場合であって、更に他の利用者ＩＤに歌唱動画データが紐付けられていると判定された場合、データ送信部４０ｃは、店頭端末Ｆに対し、当該ログイン情報が紐付けられている歌唱動画データを優先的に送信することができる。
【００９５】
＜その他＞
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００９６】
１  カラオケシステム
１２  撮影部
１３  提示部
１４ａ  抽出処理部
１４ｂ  表示処理部
２０ａ  利用者情報記憶部
４０ａ  第１の判定部
４０ｂ  第２の判定部
４０ｃ  データ送信部
Ｆ  店頭端末
Ｋ  カラオケ端末
Ｓ  サーバ装置
【図１】
2019040162.tif 000003
【図２】
2019040162.tif 000004
【図３】
2019040162.tif 000005
【図４Ａ】
2019040162.tif 000006
【図４Ｂ】
2019040162.tif 000007
【図５】
2019040162.tif 000008